(57)【特許請求の範囲】
【請求項１】
前面開口した直方体状の器具本体内に光源を点灯させる点灯装置を備え、導光板を有する矩形状の表示ユニットが前記器具本体の前面に沿って設けられるとともに、前記導光板の上端縁に対向して前記光源が設けられ、前記点灯装置により前記光源を点灯させ前記表示ユニットにおける前記導光板の前面側の表示パネルを光らせる誘導灯であって、前記光源である冷陰極蛍光灯を保持し前記表示ユニットが前記器具本体に取り付けられた状態において前記表示ユニットの上縁に沿って配設され前記器具本体に着脱自在なランプホルダユニットを備え、前記ランプホルダユニットは、断面Ｌ字状であって前記器具本体の上部における左右の角部の内面に沿うように配列されたガイド片が後方に向かって連続一体に突設されていて前記器具本体の前面側で前記表示ユニットの表示面に略直交する方向に移動させて着脱可能であり、前記器具本体に配置されたコネクタに直接接続される接続端子を備えてなり、接続端子が一対設けられ冷陰極蛍光灯の両端の各リード線にそれぞれ接続され前記ランプホルダユニットの長手方向の両端部から後方へ向かって突出しており、且つ、ガイド片の突出寸法が接続端子の突出寸法に比べて大きく設定されるとともに、コネクタが前記器具本体において両側壁の上部の内側に配置されており接続端子が前方から挿入されることを特徴とする誘導灯。
【請求項２】
前記コネクタは、前記器具本体内に前記器具本体から突出しないように配置され、前記接続端子は、前記ランプホルダユニットから突出し前記コネクタに挿入接続されることを特徴とする請求項１記載の誘導灯。
【請求項３】
前記接続端子は、前記ランプホルダユニットの長手方向の両端近くの部位から突出し、前記ランプホルダユニットは、前記器具本体から取り外すために前記器具本体から離れる向きの力を作用させるマイナスドライバの先端部を挿入可能な操作用凹部が長手方向の両側面にそれぞれ設けられてなることを特徴とする請求項２記載の誘導灯。
【請求項４】
前記接続端子は、前記ランプホルダユニットの長手方向の両端近くの部位から突出し、前記ランプホルダユニットは、前記長手方向において前記各接続端子それぞれの外側の部位に、前記各接続端子に重なり前記コネクタと前記器具本体の側壁との間の隙間に挿入される感電防止脚が突設されてなることを特徴とする請求項２記載の誘導灯。
【請求項５】
前記接続端子は、前記ランプホルダユニットの長手方向の両端近くの部位から突出し、前記ランプホルダユニットは、前記器具本体から取り外すために前記器具本体から離れる向きの力を作用させるマイナスドライバの先端部を挿入可能な操作用凹部が長手方向の両側面にそれぞれ設けられ、前記長手方向において前記接続端子と重なり前記コネクタと前記器具本体の側壁との間の隙間に挿入される感電防止脚が前記操作用凹部と前記接続端子との間の部位から突設されてなることを特徴とする請求項２記載の誘導灯。
【請求項６】
前記冷陰極蛍光灯が直管形の冷陰極蛍光灯であって、前記接続端子は、前記ランプホルダユニットにおいて、前記ランプホルダユニットに保持された前記冷陰極蛍光灯の両端に対応する部位よりも内側の部位から突出してなることを特徴とする請求項１記載の誘導灯。
【請求項７】
前記ランプホルダユニットは、前記冷陰極蛍光灯と、前記冷陰極蛍光灯を囲む反射板と、前記冷陰極蛍光灯の両端に設けた前記各リード線にそれぞれ接続され前記器具本体に配置した前記コネクタにそれぞれ直接接続される一対の前記接続端子と、前記冷陰極蛍光灯および反射板が収納される合成樹脂製のユニット本体と、ユニット本体に組み込まれて前記冷陰極蛍光灯および反射板および前記接続端子を支持する合成樹脂製の一対のホルダブロックとを備えることを特徴とする請求項１記載の誘導灯。
【請求項８】
前記ランプホルダユニットは、前記ユニット本体において前記冷陰極蛍光灯の上方に放熱用の空間が設けられてなることを特徴とする請求項７記載の誘導灯。
【請求項９】
前記ユニット本体は、前記冷陰極蛍光灯よりも上方の部位に放熱孔が貫設されてなることを特徴とする請求項７記載の誘導灯。
【請求項１０】
前記ランプホルダユニットは、前記冷陰極蛍光灯の両端部を支持する薄肉のランプ支持部が設けられてなることを特徴とする請求項８記載の誘導灯。
【請求項１１】
請求項７記載の誘導灯の製造方法であって、前記一対のホルダブロックを冷陰極蛍光灯の接続端子を支持する位置間隔で成形時のランナーに形成される不要部により接続された状態となるようユニット本体と一体に成形し、前記一対のホルダブロックとユニット本体と前記不要部とからなる成形品を組立用のパレット上に載置し、接続端子を設けた冷陰極蛍光灯、反射板、前記不要部を切り離してホルダブロックから分離されたユニット本体の順にホルダブロックに組み込むことを特徴とする誘導灯の製造方法。
【請求項１２】
請求項７記載の誘導灯の製造方法であって、ユニット本体と一対のホルダブロックとを一体に成形する金型のゲートをユニット本体を成形する本体成形部の中央部と両ホルダブロックを成形する各ホルダブロック成形部にそれぞれ設けるとともに、本体成形部と各ホルダブロック成形部とをそれぞれ連通させるランナーに樹脂溜まり部を設け、前記一対のホルダブロックを冷陰極蛍光灯の接続端子を支持する位置間隔でランナーに形成される不要部により接続された状態となるようユニット本体と一体に成形し、前記一対のホルダブロックとユニット本体と前記不要部とからなる成形品を組立用のパレット上に載置し、接続端子を設けた冷陰極蛍光灯、反射板、前記不要部を切り離してホルダブロックから分離されたユニット本体の順にホルダブロックに組み込むことを特徴とする誘導灯の製造方法。
【発明の詳細な説明】
【０００１】
【発明の属する技術分野】
本発明は、誘導灯およびその製造方法に関するものである。
【０００２】
【従来の技術】
近年、各種の表示用照明器具において、光源として熱陰極の蛍光灯に比べて小型で輝度の高い冷陰極蛍光灯を用いたものが提供されている。例えば、表示用照明器具の一種である誘導灯においては、光源として冷陰極蛍光灯を用いたいわゆる高輝度誘導灯が提供されている。
【０００３】
この種の高輝度誘導灯としては、図６５および図６６に示すように、前面開口した器具本体１０’と、器具本体１０’の前面に取り付けられる表示ユニット２０’と、冷陰極蛍光灯３を保持したランプホルダユニット３０’とを備えた導光板式（若しくはパネル式と称される）の高輝度誘導灯が提供されている。ここにおいて、器具本体１０’内には、冷陰極蛍光灯３を点灯させる点灯装置４などが収納されている。また、表示ユニット２０’は、表示パネル２１と、表示パネル２１の後面側に配設された導光板２２とを有し、導光板２２の上端縁に対向配置した冷陰極蛍光灯３からの光を導光板２２内での全反射により導光板２２の下端縁側に導きながら導光板２２の後面に設けた光拡散部に入射させ、光拡散部で拡散した光のうち、表示パネル２１へ向かう光を表示パネル２１の前方に出射するものである。また、ランプホルダユニット３０’は、冷陰極蛍光灯３と反射板（図示せず）とこれらを保持するユニット本体たるランプホルダ３１’とを備えている。ところで、図６５および図６６に示す高輝度誘導灯における冷陰極蛍光灯３の両端部には、図６７に示すようにハーネス８０のリード線８３が半田付けされ（図６７中の５９は半田付け部を示す）、リード線８３が半田付けされた両端部が絶縁性材料よりなるキャップ８１により覆われている。したがって、施工時やランプ交換時には、冷陰極蛍光灯３の両端部のキャップ８１近傍を施工者が両手で持って取り扱っている。ここに、ハーネス８０のコネクタ８２は器具本体１０’内において点灯装置４に電線５４を介して接続されたコネクタ８４に接続されている。また、ランプホルダユニット３０’は表示ユニット２０’に取り付けられ、ランプホルダユニット３０’が取り付けられた表示ユニット２０’が器具本体１０’に取り付けられる。
【０００４】
なお、上述の高輝度誘導灯では、表示パネル２１の表示面における輝度の均整度を高めるため、図６５に示すように冷陰極蛍光灯３の有効発光長Ｌ１と導光板２２の左右方向の幅Ｌ２とをほぼ同じとしてある。
【０００５】
また、高輝度誘導灯としては、図６９に示すように、器具本体１０’内において表示パネル（図示せず）の後面側に冷陰極蛍光灯３を配置するためのランプホルダ５７を配設し、器具本体１０’内に配置した冷陰極蛍光灯３の光を直接的に表示パネルの前方へ出射する内照式の高輝度誘導灯も提供されている。この種の高輝度誘導灯においては、上述の冷陰極蛍光灯３の両端部近傍を手で持って器具本体１０’内のランプホルダ５７に冷陰極蛍光灯３を装着し、ハーネス８０のコネクタ８２を器具本体１０側に設けられたコネクタ８４（図７０参照）に接続するようになっている。ここに、コネクタ８４は点灯装置５４に電線５４を介して接続されている。
【０００６】
また、両面に表示パネルを有する高輝度誘導灯は、図７１に示すように、冷陰極蛍光灯３を２灯備えているので、冷陰極蛍光灯３の両端部近傍を手で持ってランプホルダ５７に装着した後にハーネス８０のリード線８３を複数の整線具５８により配線している。
【０００７】
【発明が解決しようとする課題】
しかしながら、上記従来の高輝度誘導灯では、ハーネス８０が接続された冷陰極蛍光灯３を施工者が直接手で扱うので、冷陰極蛍光灯３が破損してしまう恐れがあった。しかも、ハーネス８０のコネクタ８２を器具本体１０’側のコネクタ８４と接続した後に、電線８３，５４の後処理が必要であるが、電線８３，５４の後処理が施工者によって異なり漏れ電流が大きくなってしまう恐れがあった。
【０００８】
また、ランプホルダユニット３０’が取り付けられた表示ユニット２０’を器具本体１０’に取着するものでは、冷陰極蛍光灯３の取付時や交換時に器具本体１０’から表示ユニット２０’を着脱する必要があり、表示ユニット２０’は重量が比較的大きいので、ランプホルダユニット３０が取り付けられた表示ユニット２０’が落下してしまう恐れがある。このため、器具本体１０’に表示ユニット２０’の落下防止機構を設けることも考えられるが、落下防止機構を設けると施工性が悪化してしまうという不具合があった。
【０００９】
また、コネクタ８２とコネクタ８４とを接続した後にランプホルダユニット３０’が取り付けられた表示ユニット２０’を器具本体１０’に取り付けるものでは、各コネクタ８２，８４に接続された各一対の電線８３，５４における高圧線と低圧線とを引き離す配線処理が困難なので、漏れ電流が大きくなってしまうという不具合があった。
【００１０】
また、上述の導光板式の高輝度誘導灯では、冷陰極蛍光灯３の有効発光長Ｌ１を導光板２２の幅Ｌ２とほぼ同じにしてあるので、ランプホルダユニット３０の幅が器具本体１０’に比べて大きくなり、外観がすっきりしないという不具合があった。
【００１１】
また、ハーネス８０の電線８３が冷陰極蛍光灯３の両端部に半田付けで接続されているが、半田による固定方式の場合には冷陰極蛍光灯３のエージングが必要になるという不具合があった。
【００１２】
また、上述の導光板式の高輝度誘導灯においては、反射板の内周面側に冷陰極蛍光灯３が配設され、反射板の外周面の略全体が合成樹脂成形品よりなるランプホルダ３１’によって固定されているので、放熱性が悪く、冷陰極蛍光灯３の温度上昇に伴って冷陰極蛍光灯３の発光効率が低下してしまうという不具合があった。
【００１３】
本発明は上記事由に鑑みて為されたものであり、その目的は、光源の交換が容易で光源の破損を防止することができる誘導灯およびその製造方法を提供することにある。
【００１４】
【課題を解決するための手段】
請求項１の発明は、前面開口した直方体状の器具本体内に光源を点灯させる点灯装置を備え、導光板を有する矩形状の表示ユニットが前記器具本体の前面に沿って設けられるとともに、前記導光板の上端縁に対向して前記光源が設けられ、前記点灯装置により前記光源を点灯させ前記表示ユニットにおける前記導光板の前面側の表示パネルを光らせる誘導灯であって、前記光源である冷陰極蛍光灯を保持し前記表示ユニットが前記器具本体に取り付けられた状態において前記表示ユニットの上縁に沿って配設され前記器具本体に着脱自在なランプホルダユニットを備え、前記ランプホルダユニットは、断面Ｌ字状であって前記器具本体の上部における左右の角部の内面に沿うように配列されたガイド片が後方に向かって連続一体に突設されていて前記器具本体の前面側で前記表示ユニットの表示面に略直交する方向に移動させて着脱可能であり、前記器具本体に配置されたコネクタに直接接続される接続端子を備えてなり、接続端子が一対設けられ冷陰極蛍光灯の両端の各リード線にそれぞれ接続され前記ランプホルダユニットの長手方向の両端部から後方へ向かって突出しており、且つ、ガイド片の突出寸法が接続端子の突出寸法に比べて大きく設定されるとともに、コネクタが前記器具本体において両側壁の上部の内側に配置されており接続端子が前方から挿入されることを特徴とするものであり、施工時や光源である冷陰極蛍光灯の交換時には比較的重量の大きな導光板を有する表示ユニットを器具本体から外すことなく冷陰極蛍光灯を保持したランプホルダユニットを着脱することができるので、施工時や冷陰極蛍光灯の交換時に施工者が冷陰極蛍光灯を直接触ることなくランプホルダユニットを扱えばよいから、施工や冷陰極蛍光灯の交換が容易になって冷陰極蛍光灯の破損を防止することができる。また、冷陰極蛍光灯の交換時に表示ユニットを器具本体に着脱する必要がないので、表示ユニットの落下の恐れがなく、表示ユニットの落下防止手段を設ける必要がないから、コスト上昇や作業性の悪化を招く落下防止手段を設けなくても安全性が高い。
【００１５】
また、請求項１の発明では、前記ランプホルダユニットは、前記器具本体の前面側で前記表示ユニットの表示面に略直交する方向に移動させて着脱可能であるので、前記表示ユニットの表示面側に広がった空間を利用して前記ランプホルダユニットを着脱することができ、前記ランプホルダユニットの着脱が容易で操作性が良好であるから、天井直付けや壁取付など器具本体の取付方法に関わらず前記ランプホルダユニットの交換が容易になる。
【００１６】
また、請求項１の発明では、前記ランプホルダユニットは、断面Ｌ字状であって前記器具本体の上部における左右の角部の内面に沿うように配列されたガイド片が後方に向かって連続一体に突設されていて、前記器具本体に配置されたコネクタに直接接続される接続端子を備えてなり、接続端子が一対設けられ冷陰極蛍光灯の両端の各リード線にそれぞれ接続され前記ランプホルダユニットの長手方向の両端部から後方へ向かって突出しており、且つ、ガイド片の突出寸法が接続端子の突出寸法に比べて大きく設定されるとともに、コネクタが前記器具本体において両側壁の上部の内側に配置されており接続端子が前方から挿入されるので、前記ランプホルダユニットの接続端子と器具本体側に配置されたコネクタとの接続構造を簡単にすることができるとともに器具本体におけるランプユニットの保持構造を簡単にすることができて低コスト化を図ることができ、その上、接続端子とコネクタとの接続を円滑に行うことができ、接続端子とコネクタとの接続を確実かつ安全に行うことができ、しかも冷陰極蛍光灯と器具本体側に設けたコネクタとを電線で接続する必要がないから、点灯装置が冷陰極蛍光灯を高周波点灯方式で点灯させる場合に電線の漏れ電流を減少させることができる。
【００１７】
請求項２の発明は、請求項１の発明において、前記コネクタは、前記器具本体内に前記器具本体から突出しないように配置され、前記接続端子は、前記ランプホルダユニットから突出し前記コネクタに挿入接続されるので、電源などを備えた器具本体側から端子を突出させる必要がなくて安全性を高めることができ、特に点灯装置が高周波点灯方式で冷陰極蛍光灯を点灯させる際の安全性を高めることができる。
【００１８】
請求項３の発明は、請求項２の発明において、前記接続端子は、前記ランプホルダユニットの長手方向の両端近くの部位から突出し、前記ランプホルダユニットは、前記器具本体から取り外すために前記器具本体から離れる向きの力を作用させるマイナスドライバの先端部を挿入可能な操作用凹部が長手方向の両側面にそれぞれ設けられているので、前記ランプホルダユニットの取り外し時に取り外し用のマイナスドライバやコインなどを操作用凹部に挿入して前記ランプホルダユニットが前記器具本体から離れる向きに力を作用させることにより、前記器具本体から前記ランプホルダユニットを取り外すことができる。
【００１９】
請求項４の発明は、請求項２の発明において、前記接続端子は、前記ランプホルダユニットの長手方向の両端近くの部位から突出し、前記ランプホルダユニットは、前記長手方向において前記各接続端子それぞれの外側の部位に、前記各接続端子に重なり前記コネクタと前記器具本体の側壁との間の隙間に挿入される感電防止脚が突設されているので、前記ランプホルダユニットの取り外し時に前記接続端子に取り外し用のマイナスドライバなどが接触するのを感電防止脚によって防ぐことができ、感電を防止することができる。
【００２０】
請求項５の発明は、請求項２の発明において、前記接続端子は、前記ランプホルダユニットの長手方向の両端近くの部位から突出し、前記ランプホルダユニットは、前記器具本体から取り外すために前記器具本体から離れる向きの力を作用させるマイナスドライバの先端部を挿入可能な操作用凹部が長手方向の両側面にそれぞれ設けられ、前記長手方向において前記接続端子と重なり前記コネクタと前記器具本体の側壁との間の隙間に挿入される感電防止脚が前記操作用凹部と前記接続端子との間の部位から突設されているので、前記ランプホルダユニットの取り外し時に前記接続端子に取り外し用のマイナスドライバなどが接触するのを感電防止脚によって防ぐことができ、感電を防止することができるから安全性が高い。
【００２１】
請求項６の発明は、請求項１の発明において、前記冷陰極蛍光灯が直管形の冷陰極蛍光灯であって、前記接続端子は、前記ランプホルダユニットにおいて、前記ランプホルダユニットに保持された前記冷陰極蛍光灯の両端に対応する部位よりも内側の部位から突出しているので、前記ランプホルダユニットにおいて前記冷陰極蛍光灯の長手方向に沿った方向の幅と表示ユニットの幅との差を小さくすることができ、外観が向上する。
【００２２】
請求項７の発明は、請求項１の発明において、前記ランプホルダユニットは、前記冷陰極蛍光灯と、前記冷陰極蛍光灯を囲む反射板と、前記冷陰極蛍光灯の両端に設けた前記各リード線にそれぞれ接続され前記器具本体に配置した前記コネクタにそれぞれ直接接続される一対の前記接続端子と、前記冷陰極蛍光灯および反射板が収納される合成樹脂製のユニット本体と、ユニット本体に組み込まれて前記冷陰極蛍光灯および反射板および前記接続端子を支持する合成樹脂製の一対のホルダブロックとを備えるので、従来のように冷陰極蛍光灯にハーネスを接続したランプホルダユニットに比べてランプホルダユニットの構成を簡単にできる。
【００２３】
請求項８の発明は、請求項７の発明において、前記ランプホルダユニットは、前記ユニット本体内の冷陰極蛍光灯の上方に放熱用の空間が設けられてなるので、天井直付け施工であっても冷陰極蛍光灯の温度上昇を抑制することができ、冷陰極蛍光灯の発光効率の低下を抑制することができる。
【００２４】
請求項９の発明は、請求項７の発明において、前記ユニット本体は、前記冷陰極蛍光灯よりも上方の部位に放熱孔が貫設されているので、冷陰極蛍光灯で発生した熱を効率良く放熱させることができて冷陰極蛍光灯の温度上昇を抑制することができ、冷陰極蛍光灯の発光効率の低下を抑制することができる。
【００２５】
請求項１０の発明は、請求項８の発明において、前記ランプホルダユニットは、前記冷陰極蛍光灯の両端部を支持する薄肉のランプ支持部が設けられているので、放熱性を向上させることができて冷陰極蛍光灯の温度上昇を抑制することができ、冷陰極蛍光灯の発光効率の低下を抑制することができる。
【００２６】
請求項１１の発明は、請求項７記載の誘導灯の製造方法であって、前記一対のホルダブロックを冷陰極蛍光灯の接続端子を支持する位置間隔で成形時のランナーに形成される不要部により接続された状態となるようユニット本体と一体に成形し、前記一対のホルダブロックとユニット本体と前記不要部とからなる成形品を組立用のパレット上に載置し、接続端子を設けた冷陰極蛍光灯、反射板、前記不要部を切り離してホルダブロックから分離されたユニット本体の順にホルダブロックに組み込むことを特徴とし、接続端子を設けた冷陰極蛍光灯、反射板、ユニット本体を一方向から一対のホルダブロックに組み付けることができて組立作業が容易になり、しかも、ユニット本体と一対のホルダブロックとを一体に成形した成形品をパレット上に載置して組み立てを行っているので、ホルダブロックの紛失や配置誤りなどを防ぐことができ、作業効率が向上でき低コスト化を図ることができる。
【００２７】
請求項１２の発明は、請求項７記載の誘導灯の製造方法であって、ユニット本体と一対のホルダブロックとを一体に成形する金型のゲートをユニット本体を成形する本体成形部の中央部と両ホルダブロックを成形する各ホルダブロック成形部にそれぞれ設けるとともに、本体成形部と各ホルダブロック成形部とをそれぞれ連通させるランナーに樹脂溜まり部を設け、前記一対のホルダブロックを冷陰極蛍光灯の接続端子を支持する位置間隔でランナーに形成される不要部により接続された状態となるようユニット本体と一体に成形し、前記一対のホルダブロックとユニット本体と前記不要部とからなる成形品を組立用のパレット上に載置し、接続端子を設けた冷陰極蛍光灯、反射板、前記不要部を切り離してホルダブロックから分離されたユニット本体の順にホルダブロックに組み込むことを特徴とし、接続端子を設けた冷陰極蛍光灯、反射板、ユニット本体を一方向から一対のホルダブロックに組み付けることができて組立作業が容易になり、しかも、ユニット本体と一対のホルダブロックとを一体に成形した成形品をパレット上に載置して組み立てを行っているので、ホルダブロックの紛失や配置誤りなどを防ぐことができ、作業効率が向上でき低コスト化を図ることができる。また、本体成形部と各ホルダブロック成形部とをそれぞれ連通させるランナーに樹脂溜まり部を設けているので、ユニット本体およびホルダブロックにウェルドラインが生じるのを防ぐことができ、ユニット本体およびホルダブロックの外観及び機械的強度を高めることができる。
【００２８】
【発明の実施の形態】
本実施形態では、図１ないし図５に示す構成の高輝度誘導灯（以下、誘導灯と略称する。）を例示する。以下、本実施形態の高輝度誘導灯について図１ないし図３５を参照しながら説明する。
【００２９】
本実施形態の誘導灯は、図１ないし図５に示すように、前面開口した直方体状の器具本体１０と、矩形状（本実施形態では、正方形状）の表示パネル２１を有し器具本体１０の前面開口の大部分を覆う表示ユニット２０と、光源たる直管形の冷陰極蛍光灯３を有し器具本体１０の前面開口のうち表示ユニット２０により覆われていない残りの部分を覆うように表示ユニット２０の上縁に沿って配設されたランプホルダユニット３０とを備えている。
【００３０】
以下では、まず器具本体１０について説明する。
【００３１】
器具本体１０内には、冷陰極蛍光灯３を高周波点灯方式で点灯させる点灯装置４が配設されている。また、器具本体１０内には、商用電源の停電時に点灯装置４へ給電するための非常用電源たる蓄電池を有する非常用電源ブロック６が配設されている。ここに、点灯装置４は、商用電源に接続される端子台７に電線（図示せず）を介して接続されるとともに、非常用電源ブロック６に２本の電線５２を介して接続されており、通常は商用電源により給電されて冷陰極蛍光灯３を点灯させ、商用電源の停電時には蓄電池により給電されて冷陰極蛍光灯３を点灯させるように構成されている。
【００３２】
器具本体１０は、合成樹脂製であって、端子台７に接続される商用電源からの電線（図示せず）を器具本体１０内に挿入する電源穴を形成する切除可能なノックアウト部１１，１１が、上壁と後壁とにそれぞれ形成されている。また、器具本体１０の後壁には、壁面に直付けする際に用いる取付ねじを挿通させるための取付孔を形成する切除可能なノックアウト部１３’が形成されている。また、器具本体１０の上壁には、天井面に直付けする際に用いる取付ねじを挿通するための取付孔を形成する切除可能な２つのノックアウト部１３，１３が左右方向に離間して形成されている。したがって、器具本体１０を天井面に取り付ける場合、壁面に取り付ける場合など、必要に応じて電源穴および取付孔を形成することにより、電源線が挿入されない電源穴や取付ねじが挿通されない取付孔が生じるのを防ぐことができ、美観を高めることが可能になる。なお、器具本体１０内には、後壁の前面に金属製の補強金具８が配設されており、点灯装置４は、補強金具８に設けたねじ式のアース端子（図示せず）に、電線（図示せず）を介して接続されている。
【００３３】
また、器具本体１０両側壁の前部の各内面には、器具本体１０の下壁に略平行であって表示ユニット２０のパネルケース２３の後面から突設されたＬ字状の係合片２４の下端縁が上面に当接し表示ユニット２０の下方向への移動を規制する規制片１８ａと、器具本体１０の前端縁に略平行であって規制片１８ａの前端縁から連続一体に形成され上記係合片２４の先端部が後面側に重なる保持片１８ｂとからなるＬ字状の係止片１８が２つずつ突設されている。
【００３４】
一方、表示ユニット２０は、図６に示すように、避難口へ誘導するためのシンボルが表記され透光性を有するアクリル樹脂製の表示パネル２１と、表示パネル２１の後面側に配設され冷陰極蛍光灯３の光を表示パネル２１へ導光する透明アクリル樹脂製の導光板２２と、導光板２２の後面に配設される反射シート２５と、表示パネル２１および導光板２２および反射シート２５を保持する合成樹脂製のパネルケース２３とで構成されている。ここにおいて、導光板２２の上部の前面には２つの位置決め突起２２ａ，２２ａが突設されており、表示パネル２１の後面には、位置決め突起２２ａ，２２ａが挿入される凹部（図示せず）が形成されている。また、パネルケース２３は、器具本体１０と同じ材料により形成されており、パネルケース２３の後面において左右両端部にはそれぞれ上述のＬ字状の係合片２４が２つずつ上下方向に沿って突設されている。なお、表示パネル２１は、図３においてハッチングを施した部位の色を緑色としてある。また、導光板２２は、上下方向において下側ほど厚さが薄くなるように形成されている。
【００３５】
パネルケース２３は、器具本体１０の左右幅に略等しい左右幅を有し器具本体１０の上下幅よりもやや小さな上下幅を有する正方形状の取付ベース２３ａと、取付ベース２３ａの前面の周部において上辺を除いた３辺に沿って前方へ連続一体に突設された保持枠２３ｂとを備えている。
【００３６】
保持枠２３ｂのうち左右両端部に設けられた部位の内面には、表示パネル２１をスライド自在に保持するためのガイド溝２３ｃが形成されている。一方、表示パネル２１は、左右両端縁それぞれから後方に向かって側片２１ａが突設されており、各側片２１ａの外面には、ガイド溝２３ｃにスライド自在に導入されるガイドリブ２１ｂが突設されている。したがって、表示パネル２１は、パネルケース２３の保持枠２３ｂの上方からガイドリブ２１ｂをガイド溝２３ｃに導入して下方にスライドさせることにより、パネルケース２３に保持される。ここに、表示パネル２１は、パネルケース２３によって、下方向、前後方向、および左右方向へ移動が規制される。したがって、表示ユニット２０は、表記されたシンボルが異なる複数種類の表示パネルをあらかじめ用意しておくことにより、表示パネル２１を適宜交換することができるようになっている。
【００３７】
器具本体１０に表示ユニット２０を取り付けるには、器具本体１０の両側壁の各前端縁にパネルケース２３の後面が当接するように器具本体１０と表示ユニット２０との左右方向の位置を合わせ、且つ、器具本体１０の両側壁の内面に突設された各係止片１８に対応する各係合片２４が上方向にずれるように表示ユニット２０の下面を器具本体１０の下面よりも上方向にずらしている状態から、器具本体１０の両側壁の各前端縁にパネルケース２３の後面を当接させながら表示ユニット２０を下方に摺動させると、各係合片２４の各下端縁が各係止片１８それぞれの規制片１８ａの上面に当接し且つ各係合片２４の前面が各係止片１８それぞれの保持片１８ｂの後面に当接して、表示ユニット２０が器具本体１０に仮保持され、器具本体１０に対する表示ユニット２０の左右方向、下方向、および前後方向への移動が規制されるようになる。このように器具本体１０に表示ユニット２０が仮保持された状態では、器具本体１０の上面を含む平面と表示パネル２１の上端縁との間にランプホルダユニット３０の上下幅よりもやや小さな隙間が形成される。ランプホルダユニット３０は、表示ユニット２０が器具本体１０に取り付けられた状態において、この隙間を塞ぎ表示ユニット２０と合わせて器具本体１０の前面開口を覆う形で器具本体１０の前面に着脱自在に取り付けられる。表示ユニット２０を器具本体１０から取り外すには、ランプホルダユニット３０が器具本体１０から取り外された状態で、表示ユニット２０を係止片１８と保持片１８ｂとが重ならない位置までスライドさせて前方へ取り外せばよい。なお、保持枠２３ｂの幅は、ランプホルダユニット３０の幅（上下幅）よりも小さくなっている。
【００３８】
ランプホルダユニット３０は、図１３ないし図２０に示すように、器具本体１０の前面側に位置する前板３１ａと、前板３１ａの上端縁から後方に向かって連続一体に形成された上板３１ｂと、前板３１ａの両側縁からそれぞれ後方に向かって突設された一対の側板３１ｃと、上板３１ｂの両端部において下方に突設され金属製（例えば、アルミニウム製）の反射板３２および冷陰極蛍光灯３を支持する一対の支持台３５，３５とが連続一体に形成された合成樹脂製のユニット本体たるランプホルダ３１を備えている。ランプホルダユニット３０は、ランプホルダ３１の一対の支持台３５，３５により直管形のランプである冷陰極蛍光灯３の両端部が支持され（図３０および図３１参照）、冷陰極蛍光灯３の両端部から突出したリード線３ｂ，３ｂにそれぞれ接続された接続端子３６，３６は支持台３５，３５に下面側から着脱自在に結合される合成樹脂製のホルダブロック４０，４０に保持され、ランプホルダ３１の後方へ突出する。反射板３２は、下面側が開放した断面Ｕ字状であって冷陰極蛍光灯３を囲む形で支持台３５，３５により支持される。ここにおいて、冷陰極蛍光灯３および反射板３２は、一対のホルダブロック４０，４０をランプホルダ３１の支持台３５，３５に結合することにより、ランプホルダ３１とホルダブロック４０，４０との間に保持されることになる。
【００３９】
要するに、ランプホルダユニット３０は、長手方向の両端部からそれぞれ接続端子３６，３６が後方へ向かって突出している。ここにおいて、冷陰極蛍光灯３のリード線３ｂは、リード線３ｂと接続端子３６の接続片３６ｂとをコ字状のスプライスバンド３７（図１６参照）によって挟み込んでかしめることによって接続されている（図３４参照）。また、ランプホルダユニット３０は、器具本体１０に取り付けた状態で冷陰極蛍光灯３が導光板２４の上端縁に対向する位置に配置される位置に冷陰極蛍光灯３を保持している。ランプホルダ３１は、上述のように合成樹脂製であって、器具本体１０およびパネルケース２３と同じ材料で形成され且つ同じ色としてある。
【００４０】
また、反射板３２は、断面Ｕ字状であって図３２に示すように主片３２ａの各先端縁から延設片３２ｂ，３２ｃがそれぞれ延設されているが、ランプホルダ３１の前板３１ａに遠い側の延設片３２ｃよりも前板３１ａに近い側の延設片３２ｂの方を主片３２ａからの突出寸法を大きくしてあり、延設片３２ｂが導光板２２の上部の前面に重なるようになっている。さらに、パネルケース２３には導光板２２の上面よりも上側の位置で延設片３２ｃが臨む反射用溝２３ｄ部を形成してあるので、冷陰極蛍光灯３の光の損失を減少させることができる。
【００４１】
ホルダブロック４０は、図２１ないし図２７に示すように冷陰極蛍光灯３の端部を支持するコ字状の支持部４１と支持部４１の両脚片の先端縁からそれぞれ延設された固定片４２，４３と、接続端子３６が挿入されるスリット４４ａが形成された基台４４と、基台４４から突設された感電防止脚４５とを備えている。
【００４２】
ここに、支持部４１には、冷陰極蛍光灯３の端部を保持する保持凹部４６ｂが形成された突台４６が突設されている。また、固定片４２には、両固定片４２，４３をランプホルダ３１の下方から支持台３５に挿入した際に支持台３５に設けた係止孔３５ｂ（図１５および図１６参照）に係止される結合爪４２ａが突設されている。結合爪４２ａは、固定片４２の先端に近づくほど固定片４２からの突出量が小さくなるように傾斜している。なお、組立時には、固定片４２が撓んでその後、結合爪４２ａが係止孔３５ｂに係止される際にクリック音が発生するので、ホルダブロック４０がランプホルダ３１に結合されたことを音で確認することができる。
【００４３】
また、ホルダブロック４０は、組立時において図２２および図２６における上方から図２６および図２７における矢印Ｂの向きで両固定片４２，４３間に反射板３２が挿入されるが、両固定片４２，４３の互いの対向面には、反射板３２を支持部４１における定位置へ案内する挿入溝４２ｂ，４３ｂ（図２７参照）が形成されているので、ホルダブロック４０へ反射板３２を簡単に取り付けることができる。
【００４４】
また、接続端子３６は、図２８および図２９に示すように長手方向の一端部を折曲して折曲片３６ａが形成され、折曲片３６ａの先端縁の中央部から幅狭の接続片３６ｂが延設されている。さらに、接続端子３６の厚み方向の一面には、一対の圧入突起であるダボ３６ｃ，３６ｃが突設されており、図２９における矢印Ｚの向きでホルダブロック４０の基台４４のスリット４４ａに圧入される。すなわち、基台４４のスリット４４ａの内周面に突設された突起４３ｃ（図２３参照）の両側縁に沿ってダボ３６ｃ，３６ｃがスリット４４ａ内に圧入される。したがって、基台４４のスリット４４ａに接続端子３３が挿入された後には、ダボ３６ｃ，３６ｃがスリット４４ａの内周面に圧接することによって接続端子３６が基台４４に固定され、器具本体１０に対するランプホルダユニット３０の着脱方向（図２３における上下方向）への位置決めがなされる。また、接続端子３６の幅方向の両側縁には、補助片３６ｄが突設されているが、一方の補助片３６ｄが基台４４においてスリット４４ａに連続して形成された位置決め溝４４ｄに挿入されるここにより、ランプホルダユニット３０の着脱方向における接続端子３６の位置決めがなされる。したがって、器具本体１０に対するランプホルダユニット３０の着脱時に接続端子３６が基台４４のスリット４４ａから抜けるのを防ぐことができるとともに、冷陰極蛍光灯３のリード線３ｂに負荷がかかるのを防ぐことができる。なお、補助片３６ｄは、接続端子３６を順送金型で成形時に必要なキャリア部である。
【００４５】
ところで、冷陰極蛍光灯３は破損しやすく脆弱であるが、本実施形態では、図３１に示すようにホルダブロック４０の支持部４１に設けた突台４６に突設した薄肉のリブ４６ａと支持台３５に設けた薄肉のリブ３５ｄとの間に冷陰極蛍光灯３の端部を挟持しているので、冷陰極蛍光灯３への負荷をホルダブロック４０および支持台３５の変形で吸収することができ、冷陰極蛍光灯３へかかるストレスを少なくすることができるとともに、部品公差範囲および組立公差範囲内で冷陰極蛍光灯３を破損することなく固定することができる。
【００４６】
ところで、本実施形態の誘導灯では、図３に示すように、冷陰極蛍光灯３の有効発光長Ｌ１よりも導光板２２の左右方向の幅Ｌ２をやや大きくして、ランプホルダユニット３０の左右方向の幅と表示ユニット２０の左右方向の幅とを同じに設定してあるので、誘導灯全体の外観を高めることができる。ここに、導光板２２の左右方向の幅Ｌ２を冷陰極蛍光灯３の有効発光長Ｌ１よりもやや大きく設定した場合、表示パネル２１の左右方向の両端部で光量が不足して輝度が小さくなるので、本実施形態では、ホルダブロック４０において冷陰極蛍光灯３の端部を支持する支持片４１ａに冷陰極蛍光灯３の端部近傍の光を導光板２２へ導光するための切欠部４１ｂを設けるとともに、切欠部４１ｂに臨む面に導光板２２の端部へ冷陰極蛍光灯３の光を導くための誘導面４１ａ（図２２参照）を形成してあるので、冷陰極蛍光灯３の光が図２５中に矢印で示すように導かれ、導光板２２の左右両端部への冷陰極蛍光灯３からの光が不足するのを防止することができ、表示パネル２１の表示面の輝度の均整度を高めることができる。
【００４７】
ランプホルダユニット３０は、支持台３５の上部の後面には、断面Ｌ字状であって器具本体１０の上部における左右の角部の内面に沿うように配列されたガイド片３３，３３が後方に向かって連続一体に突設されている。また、上述のホルダブロック４０の基台４４は、ランプホルダ３１の支持台３５に結合された状態で各ガイド片３３，３３の下方において、各接続端子３６，３６それぞれの外側の部位に各接続端子３６，３６に重なる感電防止脚４５，４５が突設されている。要するに、感電防止脚４５の方が接続端子３６よりもランプホルダ３１の側板３１ｃに近い部位から突出している。ここに、感電防止脚４５のランプホルダ３１の後面からの突出寸法は、ガイド片３３，３３の半分程度の寸法に設定されている。
【００４８】
一方、器具本体１０において両側壁の上部の内側には、点灯装置４にそれぞれ電線５３，５３を介して接続されランプホルダユニット３０の接続端子３６，３６が前方から挿入接続されるコネクタ５０，５０が配置されている。ここにおいて、各コネクタ５０は直方体状に形成された絶縁性のカバー５０ａの長手方向の両端面に端子挿入口５０ｂが開口されており、カバー５０ａ内には、端子挿入口５０ｂに対応する部位に端子挿入口５０ｂから挿入された接続端子３６が接続される旗型端子（図示せず）が収納されている。ここにおいて、各コネクタ５０は、カバー５０ａと器具本体１０の各側壁との間に上述の感電防止脚４５が前方から挿入される隙間５１，５１が形成されるように器具本体１０に対して取り付けられている。したがって、ランプホルダユニット３０に従来のようなハーネス８０を設ける必要がなく、図４に示すように器具本体１０の後壁の前面側に２本の電線５３を漏れ電流が発生しないように離間させた状態で保持するリード線保持部１４を適宜箇所に設けておくことで器具本体１０内においてコネクタ５０と点灯装置４との間を接続する電線５３の配線位置を定型化することができ、施工性などを考慮して電線５３の長さを余分に長くする必要がなく、工場出荷時に電線５３を配線しておくことができるから、施工業者がランプホルダユニット３０の取付時に配線処理をする必要がなく、施工が容易になるとともに、施工者によって漏れ電流が異なるようなことがなくなる。ここにおいて、各コネクタ５０と点灯装置４とを接続する一対の電線５３，５３は、低圧側の電線の方が高圧側の電線よりも長くしてあり（図４においては左側のコネクタ５０に接続された電線５３の方が低圧側の電線となる）、一対の電線５３，５３間の距離を比較的大きくとることができるので、漏れ電流を低減できる。また、電源を備えた器具本体１０から端子が突出することがなく、安全性を高めることができる。
【００４９】
ところで、ランプホルダユニット３０の着脱時に施工者は接続端子３６が見えないが、ランプホルダユニット３０は、ガイド片３３の突出寸法が接続端子３６の突出寸法に比べて大きく設定されているので、器具本体１０へのランプホルダユニット３０の取付時において接続端子３０がコネクタ５０に接続される前にまずガイド片３３の先端部が器具本体１０の内周面に沿って移動し（なお、ガイド片３３の先端部は器具本体１０の上壁および側壁に臨む面が面取りされていて基端部に比べて肉厚が薄くなっている）、その後、ガイド片３３の基端部が器具本体１０の上壁および側壁に沿ってガイドされ、コネクタ５０の絶縁カバー５０ａにおいて端子挿入口５０ｂの周部に設けた誘導面５０ｃで接続端子３６がガイドされるので、接続端子３６とコネクタ５０との接続を円滑に行うことができ、接続端子３６とコネクタ５０との接続を確実かつ安全に行うことができる。ここに、本実施形態の誘導灯では、器具本体１０内においてコネクタ５０が定位置に固定されているので、ランプホルダユニット３０のガイド片３３の位置精度が重要である。このため、ランプホルダ３１の長手方向の寸法精度を向上させるために、図２０に示すような肉盗み部３１ｆをランプホルダ３１の上板３１ｂの下面に長手方向に沿って設けてある。したがって、ランプホルダ３１となる成形品の冷却速度の差がガイド片３３の位置精度に与える影響を少なくでき、成形精度が向上する。
【００５０】
ランプホルダ３１は、側板３１ｃの後部に器具本体１０からランプホルダユニット３０を取り外すための操作用凹部３１ｅが設けられている。操作用凹部３１ｅは器具本体１０の前端縁に平行な面における内周面が円弧状に形成されており、図１１に示すように、マイナスドライバ５５の先端部を操作用凹部３１ｅに挿入して同図中の矢印の向きに回転させてランプホルダユニット３０が器具本体１０から離れる向きに力を作用させることにより、あるいは、図１２に示すように、コイン５６の一部を操作用凹部３１ｅに挿入してランプホルダユニット３０が器具本体１０から離れる向きに力を作用させることにより、器具本体１０からランプホルダユニット３０を取り外すことができるようになっている。要するに、本実施形態の誘導灯は、表示ユニット２０が器具本体１０に取り付けられた状態でランプホルダユニット３０が器具本体１０に着脱自在となっている。なお、ランプホルダユニット３０の着脱に際して水平方向の外力は、図１８中に矢印で示すように接続端子３６の厚み方向に作用するので、接続端子３６がスリット４４ａから抜けることがなく、冷陰極蛍光灯３のリード線３ｂに過負荷がかかることもない。
【００５１】
ここにおいて、ランプホルダユニット３０は、感電防止脚４５，４５の一部を接続端子３６，３６に重複させてあるので、ランプホルダユニット３０の取り外し時にマイナスドライバ５５の先端部やコイン５６などが接続端子３６，３６に当たるのを防ぐことができるから、冷陰極蛍光灯３へ電流が流れている状態でランプホルダユニット３０を取り外そうとした際に接続端子３６にマイナスドライバ５５の先端部やコイン５６などが接触して感電するのを防止することができるとともに、接続端子３６，３６に傷が付くのを防ぐことができる。しかも、操作用凹部３１ｅの内周面を上述の円弧状に形成していることにより、コインを利用してランプホルダユニット３０の取り外しが可能なことを施工者に示唆できるとともに、側面から見たときの違和感をなくすことができる。また、本実施形態においては、ランプホルダユニット３０は、器具本体１０の前方から器具本体１０に取り付けられ、器具本体１０から手前に取り外すことができるので、ランプホルダユニット３０の着脱時に器具本体１０の前面側においてランプホルダユニット３０を前後方向に移動させるだけでよいから（つまり、表示パネル２１の表示面に略直交する方向にランプホルダユニット３０を移動させるだけでよいから）、器具本体１０が天井直付けや壁取付けなどの取付方法に関わらず、器具本体１０の近くに天井や壁があっても器具本体１０へのランプホルダユニット３０の着脱作業に支障をきたすこともない。
【００５２】
しかして、本実施形態の誘導灯では、冷陰極蛍光灯３がランプホルダ３１、支持台３５および反射板３２により保護され、ランプ交換時にはランプホルダユニット３０毎に交換するようになっているので、施工時に冷陰極蛍光灯３に過度な外力が加わることがなく、冷陰極蛍光灯３の破損を防止することができる。しかも、施工時や冷陰極蛍光灯３の交換時には、器具本体１０に表示ユニット２０が取り付けられた状態で、ランプホルダユニット３０の取り付けや交換ができるので、表示ユニット２０の落下の恐れもなく表示ユニット２０の落下を防止するための落下防止機構（落下防止手段）を設ける必要がなく、冷陰極蛍光灯３の破損の恐れもないから、施工性が向上する。
【００５３】
なお、ランプホルダ３１の前板３１ａの下部の一部は前後方向において表示パネル２１の上部に重なるように位置しているので、ランプホルダ３１の前板３１ａの下部には、下方ほど表示パネル２１からの突出量が小さくなるような傾斜面が形成されている。なお、ランプホルダ３１の下端部の一部で表示パネル２１の上部が押えられることになり、表示ユニット２０を器具本体１０に固定することができる。
【００５４】
本実施形態においては、器具本体１０の左右幅に略等しい左右幅を有し器具本体１０の上下幅よりも小さな上下幅を有する正方形状の表示ユニット２０と表示ユニット２０の表示パネルの上縁に沿って配設されたランプホルダユニット３０とで器具本体１０の前面開口を覆い、且つ、表示ユニット２０とランプホルダユニット３０とを合わせた外周形状が器具本体１０において前面開口を囲む部位の外周形状に沿っている。しかして、本実施形態では、すっきりした外観にすることができるとともに、表示パネル２１の表示面の輝度の均整度を高くすることができる。
【００５５】
ところで、冷陰極蛍光灯３は点灯時のランプ温度上昇に伴って特性値（例えば、発光効率）が低下する恐れがあるが、本実施形態では、ランプホルダ３１における支持台３５で反射板３２の長手方向の両端部を支持し、ランプホルダ３１の中間部において反射板３２が挿入される保持溝３４ａが形成された支持突片３４（図２０参照）が突設され、反射板３２を導光板２２に近づけることでランプホルダ３１の上板３１ｂと反射板３２との間に放熱用の空間を設けてあるので、反射板３２の外周面の全体が成形品に密着あるいは近接している場合に比べて、反射板３２において空間へ露出する面積が比較的大きく反射板３２の放熱性を向上できるから、冷陰極蛍光灯３の温度上昇を抑制でき、冷陰極蛍光灯３の発光効率の低下を抑制することができる。また、ランプホルダ３１の長手方向の中間部に上板３１ｂおよび前板３１ａに連続一体に形成された支持突片３４を設けたことにより、良好な放熱性を得ながらもランプホルダ３１の強度を高めることができる。
【００５６】
以下、上述のランプホルダユニット３０の組立装置について説明する。
【００５７】
組立装置は、図３６および図３７に示すように、床などに２つの昇降エレベータ７４，７５が離間して設置され、両昇降エレベータ７４，７５の下部間および上部間にそれぞれフリーローラコンベア７２，７３が架設されている。フリーローラコンベア７２，７３上ではパレット６０が搬送されるのであって、ワークは図３９に示すパレット６０に載せられた状態で搬送される。図３９中の６１はパレット６０上で冷陰極蛍光灯３を保持するランプ保持具を示す。なお、図３６中に示した矢印はパレット６０の移動方向を示す。
【００５８】
この組立装置７０は、図３８に示すように、ホルダブロック４０、接続端子３６、冷陰極蛍光灯３、スプライスバンド３７、ランプホルダ３１を同一方向で組み立てることができるので、作業効率が向上し、組立冶具を簡素化できる。
【００５９】
ここにおいて、組立装置７０は、上側のフリーローラコンベア７３上を搬送されるパレット６０上で組立作業が行われるものであり、ランプホルダ３１とホルダブロック４０とが不要部３９により接続された図４６および図４７に示すような成形品Ｂ、一対の接続端子３６，３６、冷陰極蛍光灯３を図３９に示すパレット６０へ供給して図４０および図４８に示すように装着する供給装置７６（図３６参照）と、図４１に示すように冷陰極蛍光灯３のリード線３ｂと接続端子３６の接続片３６ｂとをスプライスバンド３７により接続するかしめ装置７７（図３６参照）と、図４２に示すように冷陰極蛍光灯３のリード線３ｂの不要部分３ｂ’（図４９参照）を切断するとともに成形品Ｂの不要部３９（図５０参照）を切断する切断装置７８（図３６参照）と、上述の接続端子３６が接続された冷陰極蛍光灯３（以下、接続端子付きランプと称す）、図４３に示すように反射板３２、ランプホルダ３１を一対のホルダブロック４０，４０に組み付ける組付装置７９（図３６参照）とを備えている。要するに、成形品Ｂなどの部品が載置されたパレット６０が上側のフリーローラコンベア７３上を搬送されることにより、ランプホルダユニット３０が完成し、下側のフリーローラコンベア７２には図４４に示すようにランプ保持具６１のみが配置されたパレット６０が巡回する。したがって、巡回するパレット６０の数や、各工程のタクトで組立装置７０のリードタイムが決定される。
【００６０】
一対のホルダブロック４０，４０は冷陰極蛍光灯３の接続端子３６を支持する位置関係となるようにランプホルダ３１と一体に成形され、パレット６０には成形品Ｂにおけるランプホルダ３１およびホルダブロック４０，４０の位置関係を維持して成形品Ｂを保持する保持部が設けられているので、ランプホルダ３１とホルダブロック４０，４０との配列を気にせずにパレット６０上に成形品Ｂをセットすることができ、作業時間の短縮および作業効率の向上が図れ、しかも、成形品Ｂをパレット６０にセットしてもホルダブロック４０，４０とランプホルダ３１との位置関係が保持されるので、セット位置の誤りや部品の紛失を防止することができる。また、ホルダブロック４０は、誘導灯の品種毎に微妙にサイズが異なるものがあるので、ホルダブロック４０とランプホルダ３１とを別々に成形していると、他品種のホルダブロックが混入してしまう恐れがあるが、ランプホルダ３１とホルダブロック４０，４０とを一体に成形し、成形品Ｂをパレット６０上にセットしているので、他品種のホルダブロックの混入を防止することができる。
【００６１】
要するに、上述のランプホルダユニット３０の製造においては、一対のホルダブロック４０，４０を冷陰極蛍光灯３の接続端子３６を支持する位置間隔で成形時のランナーに形成される不要部３９により接続された状態となるようユニット本体たるランプホルダ３１と一体に成形し、一対のホルダブロック４０，４０とランプホルダ３１と不要部３９とからなる成形品Ｂを組立用のパレット６０上に載置し、接続端子３６を設けた冷陰極蛍光灯３、反射板３２、不要部３９を切り離してホルダブロック４０，４０から分離されたランプホルダ３１の順にホルダブロック４０，４０に組み込んでいるので、接続端子３６を設けた冷陰極蛍光灯３６、反射板３２、ランプホルダ３１を一方向から一対のホルダブロック４０，４０に組み付けることができて組立作業が容易になり、しかも、ランプホルダ３１と一対のホルダブロック４０，４０とを一体に成形した成形品Ｂをパレット６０上に載置して組み立てを行っているので、ホルダブロック４０，４０の紛失や配置誤りなどを防ぐことができ、作業効率が向上でき低コスト化を図ることができる。
【００６２】
また、ユニット本体たるランプホルダ３１と一対のホルダブロック４０，４０とを一体に成形する金型（図示せず）のゲートをランプホルダ３１を成形する本体成形部の中央部と両ホルダブロック４０，４０を成形する各ホルダブロック成形部にそれぞれ設けるとともに、本体成形部と各ホルダブロック成形部とをそれぞれ連通させるランナーに樹脂溜まり部を設け、一対のホルダブロック４０，４０を冷陰極蛍光灯３の接続端子３６を支持する位置間隔でランナーに形成される不要部３９により接続された状態となるようランプホルダ３１と一体に成形しているので、本体成形部と各ホルダブロック成形部とをそれぞれ連通させるランナーに樹脂溜まり部を設けていることにより、ランプホルダ３１およびホルダブロック４０，４０にウェルドラインが生じるのを防ぐことができ、ランプホルダ３１およびホルダブロック４０，４０の外観及び機械的強度を高めることができる。
【００６３】
上述のランナー３９，３９は成形工程の後に図５１に示すような複数の収納室を有するボックスＤに収納されて組立工程まで搬送される際およびパレット６０へセットするまでランプホルダ３１とホルダブロック４０，４０とを連結する機能を有し、組立工程では成形品Ｂに切り跡を残さずに分離することができる。
【００６４】
ところで、本実施形態の誘導灯においては、上述のようにランプホルダ３１の上板３１ｂと反射板３２との間に空間を設けて冷陰極蛍光灯３の温度上昇を抑制しているが、図５２に示すようにランプホルダ３１の上板３１ｂに複数の放熱孔３１ｄを設け上下方向において放熱孔３１ｄと反射板３２とに重なる部位に内壁３１ｇを設けるようにしてもよい。
【００６５】
また、冷陰極蛍光灯３のリード線３ｂと接続端子３６の接続片３６ｂとをスプライスバンド３７をかしめることにより接続していたが、図５３および図５４に示すように先端縁に臨んで開放されリード線３ｂが挿入されるスリット３６ｇが形成された接続端子３６’を採用して、支持台３５に接続端子３６’の一端側が挿入される挿入溝３５ｅを形成してもよい。ここに、接続端子３６’の長手方向に沿った両側縁には、支持台３５の挿入溝３５ｅからの抜け止め用の結合爪３６ｆが突設されており、接続端子３６’が支持台３５の挿入溝３５ｅから抜けるのを防止することができる。なお、接続端子３６’のスリット３６ｇは、接続端子３６’の先端部において先端縁に近づくほど幅が広くなるように形成されているので、挿入溝３５ｅへ接続端子３６’を挿入した際にスリット３５ｅにリード線３ｂを容易に挿入させることができる。
【００６６】
また、上記実施形態の誘導では器具本体１０の一面に表示ユニット２０およびランプホルダユニット３０を配設しているが、器具本体１０の両面に表示ユニット２０およびランプホルダユニット３０を配設するようにしてもよく、この場合には、図５５および図５６に示すコネクタ５０に２個の旗型端子（図示せず）を収納して長手方向の両面からそれぞれ挿入された接続端子３６に接続されるようにすればよい。ここにおいて、感電防止脚４５の側縁には、器具本体１０へのランプホルダユニット３０の取付時にランプホルダユニット３０が器具本体１０に完全に取り付けられた際に器具本体１０の内面から突設したダボ１５が係脱自在に係合する凹部４５ａを設けてある。したがって、ランプホルダユニット３０が器具本体１０に完全に取り付けられた際にクリック音が発生するので、ランプホルダユニット３０が器具本体１０に完全に取り付けられたことを施工者がクリック音で確認することができ、ランプホルダユニット３０の不完全な装着を防止することができる。なお、図５５および図５６においては、上記実施形態と同様の構成要素に同一の符号を付してある。また、器具本体１０におけるダボ１５、感電防止脚４５における凹部４５ａを上記実施形態の誘導灯に設けてもよいことは勿論である。
【００６７】
また、上記実施形態では、器具本体１０に対するランプホルダユニット３０の着脱を器具本体１０の前面側において前後方向としてあるが、図５７に示すように器具本体１０の上部の前面側にランプホルダ３１の後面側に設けた鍔片３１ｈがスライド自在に挿入されるスライド部１０ｂを形成して図５８に示すようにランプホルダユニット３０を器具本体１０の前面側において左右方向にスライドさせて着脱するような構成を採用してもよい。また、図５９に示すように器具本体１０の上部の前面側にランプホルダユニット３０から後方へ突設された軸部３１ｉを回転自在に保持する軸受部１０ｃを設けて、図６０に示すように軸部３１ｉを軸受部１０ｃに仮保持させた状態でランプホルダユニット３０を回転させて器具本体１０に着脱するような構成を採用してもよい。また、図６１および図６２に示すように、表示ユニット２０の上面に前面側ほど天井面からの距離が大きくなるような誘導部２０ｂを設けるとともに、ランプホルダユニット３０におけるランプホルダ３１の側壁３１ｃの下部に後方ほど上壁３１ａからの距離が小さくなるような傾斜部３１ｊを設けて、ランプホルダユニット３０を器具本体１０の前面側の斜め下方から着脱するような構成を採用してもよい。
【００６８】
【発明の効果】
請求項１の発明は、前面開口した直方体状の器具本体内に光源を点灯させる点灯装置を備え、導光板を有する矩形状の表示ユニットが前記器具本体の前面に沿って設けられるとともに、前記導光板の上端縁に対向して前記光源が設けられ、前記点灯装置により前記光源を点灯させ前記表示ユニットにおける前記導光板の前面側の表示パネルを光らせる誘導灯であって、前記光源である冷陰極蛍光灯を保持し前記表示ユニットが前記器具本体に取り付けられた状態において前記表示ユニットの上縁に沿って配設され前記器具本体に着脱自在なランプホルダユニットを備え、前記ランプホルダユニットは、断面Ｌ字状であって前記器具本体の上部における左右の角部の内面に沿うように配列されたガイド片が後方に向かって連続一体に突設されていて前記器具本体の前面側で前記表示ユニットの表示面に略直交する方向に移動させて着脱可能であり、前記器具本体に配置されたコネクタに直接接続される接続端子を備えてなり、接続端子が一対設けられ冷陰極蛍光灯の両端の各リード線にそれぞれ接続され前記ランプホルダユニットの長手方向の両端部から後方へ向かって突出しており、且つ、ガイド片の突出寸法が接続端子の突出寸法に比べて大きく設定されるとともに、コネクタが前記器具本体において両側壁の上部の内側に配置されており接続端子が前方から挿入されるものであり、施工時や光源である冷陰極蛍光灯の交換時には比較的重量の大きな導光板を有する表示ユニットを器具本体から外すことなく冷陰極蛍光灯を保持したランプホルダユニットを着脱することができるので、施工時や冷陰極蛍光灯の交換時に施工者が冷陰極蛍光灯を直接触ることなくランプホルダユニットを扱えばよいから、施工や冷陰極蛍光灯の交換が容易になって冷陰極蛍光灯の破損を防止することができるという効果がある。また、冷陰極蛍光灯の交換時に表示ユニットを器具本体に着脱する必要がないので、表示ユニットの落下の恐れがなく、表示ユニットの落下防止手段を設ける必要がないから、コスト上昇や作業性の悪化を招く落下防止手段を設けなくても安全性が高いという効果がある。
【００６９】
また、請求項１の発明では、前記ランプホルダユニットは、前記器具本体の前面側で前記表示ユニットの表示面に略直交する方向に移動させて着脱可能であるので、前記表示ユニットの表示面側に広がった空間を利用して前記ランプホルダユニットを着脱することができ、前記ランプホルダユニットの着脱が容易で操作性が良好であるから、天井直付けや壁取付など器具本体の取付方法に関わらず前記ランプホルダユニットの交換が容易になるという効果がある。
【００７０】
また、請求項１の発明では、前記ランプホルダユニットは、断面Ｌ字状であって前記器具本体の上部における左右の角部の内面に沿うように配列されたガイド片が後方に向かって連続一体に突設されていて、前記器具本体に配置されたコネクタに直接接続される接続端子を備えてなり、接続端子が一対設けられ冷陰極蛍光灯の両端の各リード線にそれぞれ接続され前記ランプホルダユニットの長手方向の両端部から後方へ向かって突出しており、且つ、ガイド片の突出寸法が接続端子の突出寸法に比べて大きく設定されるとともに、コネクタが前記器具本体において両側壁の上部の内側に配置されており接続端子が前方から挿入されるので、前記ランプホルダユニットの接続端子と器具本体側に配置されたコネクタとの接続構造を簡単にすることができるとともに器具本体におけるランプユニットの保持構造を簡単にすることができて低コスト化を図ることができ、その上、接続端子とコネクタとの接続を円滑に行うことができ、接続端子とコネクタとの接続を確実かつ安全に行うことができ、しかも冷陰極蛍光灯と器具本体側に設けたコネクタとを電線で接続する必要がないから、点灯装置が冷陰極蛍光灯を高周波点灯方式で点灯させる場合に電線の漏れ電流を減少させることができるという効果がある。
【００７１】
請求項２の発明は、請求項１の発明において、前記コネクタは、前記器具本体内に前記器具本体から突出しないように配置され、前記接続端子は、前記ランプホルダユニットから突出し前記コネクタに挿入接続されるので、電源などを備えた器具本体側から端子を突出させる必要がなくて安全性を高めることができ、特に点灯装置が高周波点灯方式で冷陰極蛍光灯を点灯させる際の安全性を高めることができるという効果がある。
【００７２】
請求項３の発明は、請求項２の発明において、前記接続端子は、前記ランプホルダユニットの長手方向の両端近くの部位から突出し、前記ランプホルダユニットは、前記器具本体から取り外すために前記器具本体から離れる向きの力を作用させるマイナスドライバの先端部を挿入可能な操作用凹部が長手方向の両側面にそれぞれ設けられているので、前記ランプホルダユニットの取り外し時に取り外し用のマイナスドライバやコインなどを操作用凹部に挿入して前記ランプホルダユニットが前記器具本体から離れる向きに力を作用させることにより、前記器具本体から前記ランプホルダユニットを取り外すことができるという効果がある。
【００７３】
請求項４の発明は、請求項２の発明において、前記接続端子は、前記ランプホルダユニットの長手方向の両端近くの部位から突出し、前記ランプホルダユニットは、前記長手方向において前記各接続端子それぞれの外側の部位に、前記各接続端子に重なり前記コネクタと前記器具本体の側壁との間の隙間に挿入される感電防止脚が突設されているので、前記ランプホルダユニットの取り外し時に前記接続端子に取り外し用のマイナスドライバなどが接触するのを感電防止脚によって防ぐことができ、感電を防止することができるという効果がある。
【００７４】
請求項５の発明は、請求項２の発明において、前記接続端子は、前記ランプホルダユニットの長手方向の両端近くの部位から突出し、前記ランプホルダユニットは、前記器具本体から取り外すために前記器具本体から離れる向きの力を作用させるマイナスドライバの先端部を挿入可能な操作用凹部が長手方向の両側面にそれぞれ設けられ、前記長手方向において前記接続端子と重なり前記コネクタと前記器具本体の側壁との間の隙間に挿入される感電防止脚が前記操作用凹部と前記接続端子との間の部位から突設されているので、前記ランプホルダユニットの取り外し時に前記接続端子に取り外し用のマイナスドライバなどが接触するのを感電防止脚によって防ぐことができ、感電を防止することができるから安全性が高いという効果がある。
【００７５】
請求項６の発明は、請求項１の発明において、前記冷陰極蛍光灯が直管形の冷陰極蛍光灯であって、前記接続端子は、前記ランプホルダユニットにおいて、前記ランプホルダユニットに保持された前記冷陰極蛍光灯の両端に対応する部位よりも内側の部位から突出しているので、前記ランプホルダユニットにおいて前記冷陰極蛍光灯の長手方向に沿った方向の幅と表示ユニットの幅との差を小さくすることができ、外観が向上するという効果がある。
【００７６】
請求項７の発明は、請求項１の発明において、前記ランプホルダユニットは、前記冷陰極蛍光灯と、前記冷陰極蛍光灯を囲む反射板と、前記冷陰極蛍光灯の両端に設けた前記各リード線にそれぞれ接続され前記器具本体に配置した前記コネクタにそれぞれ直接接続される一対の前記接続端子と、前記冷陰極蛍光灯および反射板が収納される合成樹脂製のユニット本体と、ユニット本体に組み込まれて前記冷陰極蛍光灯および反射板および前記接続端子を支持する合成樹脂製の一対のホルダブロックとを備えるので、従来のように冷陰極蛍光灯にハーネスを接続したランプホルダユニットに比べてランプホルダユニットの構成を簡単にできるという効果がある。
【００７７】
請求項８の発明は、請求項７の発明において、前記ランプホルダユニットは、前記ユニット本体内の冷陰極蛍光灯の上方に放熱用の空間が設けられてなるので、天井直付け施工であっても冷陰極蛍光灯の温度上昇を抑制することができ、冷陰極蛍光灯の発光効率の低下を抑制することができるという効果がある。
【００７８】
請求項９の発明は、請求項７の発明において、前記ユニット本体は、前記冷陰極蛍光灯よりも上方の部位に放熱孔が貫設されているので、冷陰極蛍光灯で発生した熱を効率良く放熱させることができて冷陰極蛍光灯の温度上昇を抑制することができ、冷陰極蛍光灯の発光効率の低下を抑制することができるという効果がある。
【００７９】
請求項１０の発明は、請求項８の発明において、前記ランプホルダユニットは、前記冷陰極蛍光灯の両端部を支持する薄肉のランプ支持部が設けられているので、放熱性を向上させることができて冷陰極蛍光灯の温度上昇を抑制することができ、冷陰極蛍光灯の発光効率の低下を抑制することができるという効果がある。
【００８０】
請求項１１の発明は、請求項７記載の誘導灯の製造方法であって、前記一対のホルダブロックを冷陰極蛍光灯の接続端子を支持する位置間隔で成形時のランナーに形成される不要部により接続された状態となるようユニット本体と一体に成形し、前記一対のホルダブロックとユニット本体と前記不要部とからなる成形品を組立用のパレット上に載置し、接続端子を設けた冷陰極蛍光灯、反射板、前記不要部を切り離してホルダブロックから分離されたユニット本体の順にホルダブロックに組み込むことを特徴とし、接続端子を設けた冷陰極蛍光灯、反射板、ユニット本体を一方向から一対のホルダブロックに組み付けることができて組立作業が容易になり、しかも、ユニット本体と一対のホルダブロックとを一体に成形した成形品をパレット上に載置して組み立てを行っているので、ホルダブロックの紛失や配置誤りなどを防ぐことができ、作業効率が向上でき低コスト化を図ることができるという効果がある。
【００８１】
請求項１２の発明は、請求項７記載の誘導灯の製造方法であって、ユニット本体と一対のホルダブロックとを一体に成形する金型のゲートをユニット本体を成形する本体成形部の中央部と両ホルダブロックを成形する各ホルダブロック成形部にそれぞれ設けるとともに、本体成形部と各ホルダブロック成形部とをそれぞれ連通させるランナーに樹脂溜まり部を設け、前記一対のホルダブロックを冷陰極蛍光灯の接続端子を支持する位置間隔でランナーに形成される不要部により接続された状態となるようユニット本体と一体に成形し、前記一対のホルダブロックとユニット本体と前記不要部とからなる成形品を組立用のパレット上に載置し、接続端子を設けた冷陰極蛍光灯、反射板、前記不要部を切り離してホルダブロックから分離されたユニット本体の順にホルダブロックに組み込むことを特徴とし、接続端子を設けた冷陰極蛍光灯、反射板、ユニット本体を一方向から一対のホルダブロックに組み付けることができて組立作業が容易になり、しかも、ユニット本体と一対のホルダブロックとを一体に成形した成形品をパレット上に載置して組み立てを行っているので、ホルダブロックの紛失や配置誤りなどを防ぐことができ、作業効率が向上でき低コスト化を図ることができる。また、本体成形部と各ホルダブロック成形部とをそれぞれ連通させるランナーに樹脂溜まり部を設けているので、ユニット本体およびホルダブロックにウェルドラインが生じるのを防ぐことができ、ユニット本体およびホルダブロックの外観及び機械的強度を高めることができるという効果がある。
【図面の簡単な説明】
【図１】  実施形態の分解斜視図である。
【図２】  同上の斜視図である。
【図３】  同上の一部破断した概略正面図である。
【図４】  同上の一部破断した正面図である。
【図５】  同上の一部破断した側面図である。
【図６】  同上における表示ユニットの分解斜視図である。
【図７】  同上における器具本体へのランプホルダユニットの取り付け方の説明図である。
【図８】  図７の要部拡大図である。
【図９】  同上における器具本体へのランプホルダユニットの取り付け方の説明図である。
【図１０】  同上における器具本体へのランプホルダユニットの取り付け方の説明図である。
【図１１】  同上における器具本体からのランプホルダユニットの取り外し方の説明図である。
【図１２】  同上における器具本体からのランプホルダユニットの取り外し方の説明図である。
【図１３】  同上におけるランプホルダユニットの前面側から見た斜視図である。
【図１４】  同上におけるランプホルダユニットの後面側から見た斜視図である。
【図１５】  同上におけるランプホルダユニットの分解斜視図である。
【図１６】  同上におけるランプホルダユニットの分解斜視図である。
【図１７】  同上におけるランプホルダユニットの一部破断した下面図である。
【図１８】  図１７の要部Ｎの拡大図である。
【図１９】  同上におけるランプホルダユニットの一部破断した下面図である。
【図２０】  同上におけるランプホルダの断面図である。
【図２１】  同上におけるホルダブロックの斜視図である。
【図２２】  同上におけるホルダブロックの断面図である。
【図２３】  同上におけるホルダブロックの平面図である。
【図２４】  同上におけるホルダブロックの断面図である。
【図２５】  同上におけるホルダブロックの機能説明図である。
【図２６】  同上におけるホルダブロックへの反射板の取り付け方の説明図である。
【図２７】  同上におけるホルダブロックへの反射板の取り付け方の説明図である。
【図２８】  同上における接続端子を示し、（ａ）は正面図、（ｂ）は一部破断した側面図、（ｃ）は上面図である。
【図２９】  同上におけるホルダブロックへの接続端子の取り付け方の説明図である。
【図３０】  同上におけるランプホルダユニットの一部破断した断面図である。
【図３１】  図３０の要部Ｍの拡大図である。
【図３２】  同上における要部説明図である。
【図３３】  同上において冷陰極蛍光灯に接続端子を接続した状態の斜視図である。
【図３４】  同上において冷陰極蛍光灯に接続端子を接続した状態の側面図である。
【図３５】  図３３の分解斜視図である。
【図３６】  同上の組立装置の概略構成図である。
【図３７】  同上の組立装置の説明図である。
【図３８】  同上の組立装置を用いた製造方法の概略説明図である。
【図３９】  同上の製造方法の説明図である。
【図４０】  同上の製造方法の説明図である。
【図４１】  同上の製造方法の説明図である。
【図４２】  同上の製造方法の説明図である。
【図４３】  同上の製造方法の説明図である。
【図４４】  同上の製造方法の説明図である。
【図４５】  同上の製造方法の説明図である。
【図４６】  同上の製造方法の説明図である。
【図４７】  同上の製造方法の説明図である。
【図４８】  同上の製造方法の説明図である。
【図４９】  同上の製造方法の説明図である。
【図５０】  同上の製造方法の説明図である。
【図５１】  同上の成形品の搬送方法の説明図である。
【図５２】  同上の他の構成例の要部断面図である。
【図５３】  同上のランプホルダユニットの他の構成例の分解斜視図である。
【図５４】  図５３における接続端子を示し、（ａ）は正面図、（ｂ）は上面図である。
【図５５】  同上の別の構成例の要部分解斜視図である。
【図５６】  同上の別の構成例の一部破断した側面図である。
【図５７】  同上の他の構成例における器具本体へのランプホルダユニットの取り付け方の説明図である。
【図５８】  同上の他の構成例における器具本体へのランプホルダユニットの取り付け方の説明図である。
【図５９】  同上の他の構成例における器具本体へのランプホルダユニットの取り付け方の説明図である。
【図６０】  同上の他の構成例における器具本体へのランプホルダユニットの取り付け方の説明図である。
【図６１】  同上の他の構成例における器具本体へのランプホルダユニットの取り付け方の説明図である。
【図６２】  同上の他の構成例における器具本体へのランプホルダユニットの取り付け方の説明図である。
【図６３】  同上の他の構成例における器具本体へのランプホルダユニットの取り付け方の説明図である。
【図６４】  同上の他の構成例における器具本体へのランプホルダユニットの取り付け方の説明図である。
【図６５】  従来例を示す一部破断した正面図である。
【図６６】  同上の分解斜視図である。
【図６７】  同上における冷陰極蛍光灯の説明図である。
【図６８】  同上における冷陰極蛍光灯の取り付け方の説明図である。
【図６９】  同上における冷陰極蛍光灯の取り付け方の説明図である。
【図７０】  同上の要部説明図である。
【図７１】  他の従来例における冷陰極蛍光灯の取り付け方の説明図である。
【符号の説明】
３  冷陰極蛍光灯
１０  器具本体
２０  表示ユニット
２１  表示パネル
３０  ランプホルダユニット
３１  ランプホルダ
３２  反射板
３６  接続端子
４５  感電防止脚
５０  コネクタ
【図１】
0004134498.tif 000002
【図２】
0004134498.tif 000003
【図３】
0004134498.tif 000004
【図４】
0004134498.tif 000005
【図５】
0004134498.tif 000006
【図６】
0004134498.tif 000007
【図７】
0004134498.tif 000008
【図８】
0004134498.tif 000009
【図９】
0004134498.tif 000010
【図１０】
0004134498.tif 000011
【図１１】
0004134498.tif 000012
【図１２】
0004134498.tif 000013
【図１３】
0004134498.tif 000014
【図１４】
0004134498.tif 000015
【図１５】
0004134498.tif 000016
【図１６】
0004134498.tif 000017
【図１７】
0004134498.tif 000018
【図１８】
0004134498.tif 000019
【図１９】
0004134498.tif 000020
【図２０】
0004134498.tif 000021
【図２１】
0004134498.tif 000022
【図２２】
0004134498.tif 000023
【図２３】
0004134498.tif 000024
【図２４】
0004134498.tif 000025
【図２５】
0004134498.tif 000026
【図２６】
0004134498.tif 000027
【図２７】
0004134498.tif 000028
【図２８】
0004134498.tif 000029
【図２９】
0004134498.tif 000030
【図３０】
0004134498.tif 000031
【図３１】
0004134498.tif 000032
【図３２】
0004134498.tif 000033
【図３３】
0004134498.tif 000034
【図３４】
0004134498.tif 000035
【図３５】
0004134498.tif 000036
【図３６】
0004134498.tif 000037
【図３７】
0004134498.tif 000038
【図３８】
0004134498.tif 000039
【図３９】
0004134498.tif 000040
【図４０】
0004134498.tif 000041
【図４１】
0004134498.tif 000042
【図４２】
0004134498.tif 000043
【図４３】
0004134498.tif 000044
【図４４】
0004134498.tif 000045
【図４５】
0004134498.tif 000046
【図４６】
0004134498.tif 000047
【図４７】
0004134498.tif 000048
【図４８】
0004134498.tif 000049
【図４９】
0004134498.tif 000050
【図５０】
0004134498.tif 000051
【図５１】
0004134498.tif 000052
【図５２】
0004134498.tif 000053
【図５３】
0004134498.tif 000054
【図５４】
0004134498.tif 000055
【図５５】
0004134498.tif 000056
【図５６】
0004134498.tif 000057
【図５７】
0004134498.tif 000058
【図５８】
0004134498.tif 000059
【図５９】
0004134498.tif 000060
【図６０】
0004134498.tif 000061
【図６１】
0004134498.tif 000062
【図６２】
0004134498.tif 000063
【図６３】
0004134498.tif 000064
【図６４】
0004134498.tif 000065
【図６５】
0004134498.tif 000066
【図６６】
0004134498.tif 000067
【図６７】
0004134498.tif 000068
【図６８】
0004134498.tif 000069
【図６９】
0004134498.tif 000070
【図７０】
0004134498.tif 000071
【図７１】
0004134498.tif 000072